(57)【要約】【課題】受信状態要求の送信を各受信端末装置に対して、迅速に行えるとともに、下りチャネルのリソースを有効に活用することを目的とする。【解決手段】受信状態収集システムは、収集装置及び複数の受信端末装置１を有する。受信端末装置１は、受信している信号に基づいて各受信端末装置１の受信状態を決定する受信状態決定部３と、決定された受信状態を、一時的に保持する受信状態保持部１ｅと，収集装置から共通チャネルを用いて送信された受信状態要求を受信したとき、受信状態保持部１ｅにより保持されている受信状態を読み出す読み出し部１ｈと、読み出された受信状態を収集装置２に送信する送信部１ａとを有する。【選択図】      図２
2004193998.tif 000002
【特許請求の範囲】
【請求項１】
複数の受信端末装置が受信している信号に関する情報である受信状態を収集装置が収集する受信状態収集システムであって、
各受信端末装置が受信している信号に基づいて、各受信端末装置の受信状態を決定する受信状態決定手段と、
決定された受信状態を、前記受信端末装置において、一時的に保持する受信状態保持手段と、
前記収集装置から各受信端末装置に対して一斉に信号を送信するための共通チャネルを用いて、受信状態の送信要求である受信状態要求を前記各受信端末装置に対して送信する第１送信手段と、
前記受信状態要求を受信したとき、前記受信端末装置において、前記受信状態保持手段により保持されている受信状態を読み出す読み出し手段と、
前記受信端末装置において、読み出された受信状態を前記収集装置に送信する第２送信手段とを有することを特徴とする受信状態収集システム。
【請求項２】
前記受信端末装置において、前記第２送信手段による受信状態を送信するタイミングを、各受信端末装置間でランダムになるように、決定する送信タイミング決定手段を有し、
前記送信タイミング決定手段により決定されたタイミングに基づいて、前記第２送信手段は、前記受信状態を前記収集装置に送信することを特徴とする請求項１に記載の受信状態収集システム。
【請求項３】
前記受信状態要求には、前記送信タイミング決定手段が前記送信タイミングを決定するのに必要な情報が含まれており、
前記送信タイミング決定手段は、前記必要な情報に基づいて、送信タイミングを決定することを特徴とする請求項２に記載の受信状態収集システム。
【請求項４】
前記受信状態決定手段は、各受信端末装置が受信している信号に
基づいて、各受信端末装置における複数の種類の受信状態を決定し、
前記受信状態保持手段は、決定された複数の種類の受信状態を、一時的に保持し、
前記受信状態要求には、前記受信状態決定手段により決定された複数の種類の受信状態のうち、所定の種類の受信状態を指定する情報である第１指定情報が含まれており、
前記読み出し手段は、前記第１指定情報に基づいて、前記受信状態保持手段に保持された複数の種類の受信状態のうち、前記所定の種類の受信状態を選択して読み出し、
前記第２送信手段は、前記所定の種類の受信状態を前記収集装置に送信することを特徴とする請求項１乃至３のうち、いずれか１つの請求項に記載の受信状態収集システム。
【請求項５】
前記受信状態要求には、受信状態を送信する対象の受信端末装置を指定する情報である第２指定情報が含まれており、
前記第２送信手段は、前記第２指定情報に基づいて、受信状態を送信することを特徴とする請求項１乃至４のうち、いずれか１つの請求項に記載の受信状態収集システム。
【請求項６】
各受信端末装置において、前記収集装置から送信される信号の受信電力を決定する受信電力決定手段と、
各受信端末装置において、決定された受信電力に基づいて、前記収集装置が受信状態を受信できるように、受信状態の送信電力を決定する送信電力決定手段とを有し、
前記第２送信手段は、決定された送信電力に基づいて、受信状態を前記収集装置に送信することを特徴とする請求項１乃至５のうち、いずれか１つの請求項に記載の受信状態収集システム。
【請求項７】
前記受信状態要求には、前記収集装置が受信状態を受信することができるように定められた前記第２送信手段による受信状態の送信電力値が含まれており、
前記第２送信手段は、前記送信電力値に基づいて、受信状態を前記収集装置に送信することを特徴とする請求項１乃至５のうち、いずれか１つの請求項に記載の受信状態収集システム。
【請求項８】
複数の受信端末装置が受信している信号に関する情報である受信状態を収集する受信状態収集装置であって、
各受信端末装置に対して一斉に信号を送信するための共通チャネルを用いて、受信状態の送信要求である受信状態要求を前記各受信端末装置に対して送信する送信手段と、
各受信端末装置から送信された受信状態を受信する受信手段とを有することを特徴とする受信状態収集装置。
【請求項９】
前記受信状態要求には、各受信端末装置が受信状態を送信するタイミングを決定するのに必要な情報が含まれており、
各受信端末装置から各々送信された受信状態を、前記受信手段が受信するタイミングは、各受信端末装置間でランダムとなることを特徴とする請求項８に記載の受信状態収集装置。
【請求項１０】
前記受信状態要求には、各受信端末装置が受信している信号に基づいて、各受信端末装置にて決定された複数の種類の受信状態のうち、所定の種類の受信状態を指定する情報である第１指定情報が含まれており、
前記受信手段は、各受信端末装置から送られた前記所定の種類の受信状態を受信することを特徴とする請求項８又は９に記載の受信状態収集装置。
【請求項１１】
前記受信状態要求には、受信状態を送信する対象の受信端末装置を指定する情報である第２指定情報が含まれており、
前記受信手段は、前記対象の受信端末装置から受信状態を受信することを特徴とする請求項８乃至１０のうち、いずれか１つの請求項に記載の受信状態収集装置。
【請求項１２】
前記受信状態要求には、前記受信手段が各受信端末装置から送られた受信状態を受信することができるように定められた各受信端末装置による受信状態の送信電力値が含まれており、
前記受信手段は、各受信端末装置から前記送信電力値で送信された受信状態を受信することを特徴とする請求項８乃至１０のうち、いずれか１つの請求項に記載の受信状態収集装置。
【請求項１３】
受信している信号に関する情報である受信状態を収集装置に送信する受信端末装置であって、
受信している信号に基づいて、受信状態を決定する受信状態決定手段と、
決定された受信状態を、一時的に保持する受信状態保持手段と、
前記収集装置から共通チャネルを用いて送信された、受信状態の送信要求である受信状態要求を受信したとき、前記受信状態保持手段により保持されている受信状態を読み出す読み出し手段と、
読み出された受信状態を前記収集装置に送信する送信手段とを有することを特徴とする受信端末装置。
【請求項１４】
前記送信手段による受信状態を送信するタイミングを、各受信端末装置間でランダムになるように、決定する送信タイミング決定手段を有し、
前記送信タイミング決定手段により決定されたタイミングに基づいて、前記送信手段は、前記受信状態を前記収集装置に送信することを特徴とする請求項１３に記載の受信端末装置。
【請求項１５】
前記受信状態要求には、前記送信タイミング決定手段が前記送信タイミングを決定するのに必要な情報が含まれており、
前記送信タイミング決定手段は、前記必要な情報に基づいて、送信タイミングを決定することを特徴とする請求項１４に記載の受信端末装置。
【請求項１６】
前記受信状態決定手段は、各受信端末装置が受信している信号に基づいて、各受信端末装置における複数の種類の受信状態を決定し、
前記受信状態要求には、前記受信状態決定手段により決定された複数の種類の受信状態のうち、所定の種類の受信状態を指定する情報である第１指定情報が含まれており、
前記読み出し手段は、前記第１指定情報に基づいて、前記受信状態保持手段に保持された複数の種類の受信状態のうち、前記所定の種類の受信状態を選択して読み出し、
前記送信手段は、前記所定の種類の受信状態を前記収集装置に送信することを特徴とする請求項１３乃至１５のうち、いずれか１つの請求項に記載の受信端末装置。
【請求項１７】
前記受信状態要求には、受信状態を送信する対象の受信端末装置を指定する情報である第２指定情報が含まれており、
前記送信手段は、前記第２指定情報に基づいて、受信状態を送信することを特徴とする請求項１３乃至１６のうち、いずれか１つの請求項に記載の受信端末装置。
【請求項１８】
前記収集装置から送信される信号の受信電力を決定する受信電力決定手段と、
決定された受信電力に基づいて、前記収集装置が受信状態を受信できるように、受信状態の送信電力を決定する送信電力決定手段とを有し、
前記送信手段は、決定された送信電力に基づいて、受信状態を前記収集装置に送信することを特徴とする請求項１３乃至１７のうち、いずれか１つの請求項に記載の受信端末装置。
【請求項１９】
前記受信状態要求には、前記収集装置が受信状態を受信することができるように定められた受信状態の送信電力値が含まれており、
前記送信手段は、前記送信電力値に基づいて、受信状態を前記収集装置に送信することを特徴とする請求項１３乃至１７のうち、いずれか１つの請求項に記載の受信端末装置。
【発明の詳細な説明】
【０００１】
【発明の属する技術分野】
本発明は、受信信号に関する情報である受信状態を収集する受信状態収集システム、受信状態収集装置、受信端末装置に関する。
【０００２】
【従来の技術】
一般的に、放送局や中継局等から各種の信号が各受信端末装置へ送られ、受信される。この際、例えば、放送局から番組信号が各受信端末装置に送信されるようなとき、各ユーザが受信している受信番組について調べる場合がある。
【０００３】
このような受信番組を調べるために、所定の収集装置が、各受信端末装置から受信番組情報を収集するということが行われる。
【０００４】
例えば、従来においては、受信番組情報を収集して視聴率を算出する方法として、以下のような技術があった（特許文献１参照）。この技術によれば、ＣＡＴＶシステムにおいて、センター側から各ホームターミナルに対して、個別に受信番組送信要求を送信し、各ホームターミナルから受信番組情報を取得している。この際、センター側から送られた送信タイミング情報に基づいて、各ホームターミナルから受信番組情報を送信している。
【０００５】
【特許文献１】
特開平７−３８８７６号公報
【０００６】
【発明が解決しようとする課題】
しかしながら、上述した従来技術では、以下のような問題点があった。即ち、上述した技術では、センターが受信番組送信要求を各ホームターミナルとの間で個別に設定した個別チャネルを用いて、送信している。このため、各ホームターミナルに対して、各々、受信番組送信要求を送信する必要があるので、全てのホームターミナルに受信番組送信要求を送信するのに時間がかかってしまう。
【０００７】
また、個別チャネルをホームターミナルの数だけ設定する必要があるので、センターの下りチャネルのリソースを大幅に消費してしまい、他の通信に割り当てる下りチャネルのリソースが減少してしまうという問題もある。
【０００８】
また、受信番組に限られず、受信した信号の品質等、受信に関する情報である受信状態を収集装置で収集できれば、収集装置にて、種々の編集が行え、便利である。このような受信状態についても、上述した従来技術を適用すると、受信状態送信要求を送信するのに時間がかかってしまい、センターの下りチャネルのリソースを大幅に消費してしまうという問題がある。
【０００９】
従って、受信状態を収集する際に必要な受信状態要求の送信を各受信端末装置に対して、迅速に行えるとともに、下りチャネルのリソースを有効に活用できる受信状態収集システムの開発が望まれていた。
【００１０】
本発明は、以上のような問題点を解決するためになされたものであり、受信状態を収集する際に必要な受信状態要求の送信を各受信端末装置に対して、迅速に行えるとともに、下りチャネルのリソースを有効に活用できる受信状態収集システム、受信状態収集装置、受信端末装置を提供することを目的とする。
【００１１】
【課題を解決するための手段】
以上の課題を解決するために、本発明は、複数の受信端末装置が受信している信号に関する情報である受信状態を収集装置が収集する際に、各受信端末装置が受信している信号に基づいて、各受信端末装置の受信状態を決定し、決定された受信状態を、前記受信端末装置において、一時的に受信状態保持手段に保持し、前記収集装置から各受信端末装置に対して一斉に信号を送信するための共通チャネルを用いて、受信状態の送信要求である受信状態要求を前記各受信端末装置に対して送信し、前記受信状態要求を受信したとき、前記受信端末装置において、前記受信状態保持手段により保持されている受信状態を読み出し、前記受信端末装置において、読み出された受信状態を前記収集装置に送信することを特徴とするものである。
【００１２】
本発明によれば、収集装置から各受信端末装置への受信状態要求を、共通チャネルを用いて、送信している。このため、従来技術と異なり、収集装置から各受信端末装置への下り個別チャネルを設定し、受信状態要求を、個別チャネルを用いて、各受信端末装置に対して、送信する必要がなく、１つの受信状態要求を上記共通チャネルを用いて送信すればよい。この結果、収集装置の下りチャネルのリソースを有効活用できる。また、共通チャネルを用いて、１つの受信状態要求信号を送信すればよいので、各受信端末装置への送信を迅速に行うことができる。
【００１３】
また、本発明は、前記受信端末装置において、受信状態を送信するタイミングを、各受信端末装置間でランダムになるように、決定し、決定されたタイミングに基づいて、前記受信状態を前記収集装置に送信することを特徴とするものである。
【００１４】
この際、前記受信状態要求には、前記送信タイミングを決定するのに必要な情報が含まれており、前記必要な情報に基づいて、送信タイミングを決定することができる。
【００１５】
例えば、受信端末装置の固有識別番号を、受信状態を収集する対象の受信端末装置の数を考慮して算出された遅延定数で、割った余りの値に基づいて、遅延時間を決定し、決定された遅延時間に基づいて、前記受信状態を送信するタイミングを決定することができる。
【００１６】
本発明によれば、各受信端末装置が収集装置へ受信状態を送信する場合、送信タイミングが各受信端末装置間でランダムになるように決定される。このため、各受信端末装置から収集装置へ、受信状態信号が送信されても、収集装置へ同時刻に複数の受信状態信号が送信されることはないので、収集装置２において、各受信状態信号が確実に受信される。この結果、収集装置２における輻輳が発生してしまうことも回避できる。
【００１７】
また、各受信端末装置が受信している信号に基づいて、各受信端末装置における複数の種類の受信状態を決定し、決定された複数の種類の受信状態を、一時的に保持し、前記受信状態要求には、前記受信状態決定手段により決定された複数の種類の受信状態のうち、所定の種類の受信状態を指定する情報である第１指定情報が含まれており、前記第１指定情報に基づいて、前記受信状態保持手段に保持された複数の種類の受信状態のうち、前記所定の種類の受信状態を選択して読み出し、前記所定の種類の受信状態を前記収集装置に送信することが可能である。
【００１８】
また、前記受信状態要求には、受信状態を送信する対象の受信端末装置を指定する情報である第２指定情報が含まれており、前記第２指定情報に基づいて、受信状態を送信することが可能である。
【００１９】
また、本発明は、各受信端末装置において、前記収集装置から送信される信号の受信電力を決定し、各受信端末装置において、決定された受信電力に基づいて、前記収集装置が受信状態を受信できるように、受信状態の送信電力を決定し、決定された送信電力に基づいて、受信状態を前記収集装置に送信することが好ましい。
【００２０】
本発明によれば、例えば、収集装置が受信できる最低限の受信電力、収集装置が信号を送信する際の送信電力、収集装置及び受信端末装置のアンテナ利得に基づいて、定められた所定値（Ｘ値）を、受信端末装置１が受信した信号の受信電力で割った値を送信電力と決定することができる。この結果、各受信端末装置が、上記決定した送信電力で、受信状態信号を収集装置に送信すると、収集装置２において、各受信状態信号が他の信号に埋もれることなく、受信されることになる。この際、受信端末装置が受信した信号として、収集装置が各受信端末装置に収集装置の位置情報等を報知するための報知信号や受信状態要求信号を用いることができる。
【００２１】
また、前記受信状態要求には、前記収集装置が受信状態を受信することができるように定められた受信状態の送信電力値が含まれており、前記送信電力値に基づいて、受信状態を前記収集装置に送信することが可能である。
【００２２】
【発明の実施の形態】
実施の形態１．
図１は、本発明の実施の形態１の受信状態収集システムの構成を示す図である。受信状態収集システムは、送信局（図示せず）と、複数の受信端末装置１と、収集装置２とを有する。送信局と受信端末装置間、受信端末装置と収集装置間の通信の方法は、本発明では、特に限定しないが、ここでは一例として、無線通信の場合について説明する。
【００２３】
（送信局）
送信局は、各種の番組信号を、各受信端末装置１に対して送信する。この際、番組信号には、番組信号を構成する音声信号や映像信号等の他に、番組を識別する情報である番組識別情報が含まれている。各種の番組信号は、例えば、複数のテレビ放送局やラジオ放送局等から送信されたものである。
【００２４】
（受信端末装置１の構成）
図２は、実施の形態１の受信端末装置１の構成を示す図である。受信端末装置１は、受信している信号に基づいて、受信状態を決定する受信状態決定部３と、決定された受信状態を、一時的に保持する受信状態保持部１ｅと、収集装置２から共通チャネルを用いて送信された、受信状態の送信要求である受信状態要求を受信したとき、受信状態保持部１ｅにより保持されている受信状態を読み出す読み出し部（制御部）１ｈと、読み出された受信状態を収集装置２に送信する送信部（通信部）１ａとを有する。なお、制御部１ｈは、各部を制御する。
【００２５】
また、受信端末装置１は、受信部１ａ（通信部）、通信制御部１ｂ、送信タイミング決定部１ｆ、送信電力決定部１ｇ、出力部（図示せず）、選択部（図示せず）を有する。
【００２６】
本実施の形態では、受信状態とは、受信端末装置１が受信している信号に関する情報のことをいう。具体的には、一例としては、受信端末装置１が受信している信号の品質、受信している番組のことである。
【００２７】
（受信状態決定部、受信状態保持部）
受信状態決定部３は、受信品質決定部１ｃと受信番組決定部１ｄを有する。
【００２８】
受信品質決定部１ｃは、通信部１ａ（受信部）が受信した各種の信号の受信品質の決定を行う。ここでいう受信品質とは、例えば、受信信号の電力である受信電力、受信信号電力対雑音電力比（ＳＮＲ）、受信信号電力対干渉、雑音電力比（ＳＩＮＲ）、ビット誤り率（ＢＥＲ）、フレーム誤り率（ＦＥＲ）、パケットロス率等である。
【００２９】
例えば、受信品質決定部１ｃは、収集装置２から送信されてきた報知信号（例えば、とまり木チャネルの信号のことであり、収集装置の位置情報等を報知する信号）についての受信電力も決定する（受信電力決定機能を有する）。また、受信品質決定部１ｃは、収集装置２から送信されてきた受信状態要求コマンドの信号についての受信電力も決定する。なお、これらの受信品質の決定方法については、本実施の形態では特に限定しない。例えば、一例として、ＳＩＮＲの決定方法については、P1508-1515,IEICE TRANS. COMMUN,VOL.E81-B,NO.7 JULY 1998に記載された方法を用いて、決定することが可能である。
【００３０】
なお、受信品質決定部１ｃによる動作は、定期的に行われる。そして、受信品質決定部１ｃにより決定された各受信品質は、受信状態保持部１ｅに送られ、保持される。この際、受信状態保持部１ｅに保持された受信品質は、受信品質決定部１ｃから各受信品質が送られた場合には、送られた受信品質に書き換えられる。これにより、受信状態保持部１ｅには、最新の受信状態（受信品質）が一時的に保持されることになる。
【００３１】
受信番組決定部１ｄは、通信部１ａから送られた各種の番組信号のうち、所定の番組信号を受信番組信号と決定し、出力部に送る。出力部では、番組信号に対応する映像データ、音声データが出力される。
【００３２】
具体的には、選択部から、所定の番組信号を選択する旨の指示が、受信番組決定部１ｄに送られる。受信番組決定部１ｄは、通信部１ａから送られた各種の番組信号のうち、所定の番組信号を選択し、選択した番組信号を受信番組信号と決定する。そして、所定の番組信号に対応する映像データ、音声データが出力部にて出力される。受信番組決定部１ｄにより決定された受信番組信号に含まれている番組識別情報（以下、受信番組識別情報）は、受信状態保持部１ｅに送られ、保持される。
【００３３】
受信状態保持部１ｅは、受信番組決定部１ｄにより決定された受信番組信号に含まれている受信番組識別情報が送られた場合、送られた受信番組識別情報と保持している受信番組識別情報とを比較し、一致している場合には、そのまま保持し、異なる場合には、送られた受信番組識別情報に書き換える。これにより、受信状態保持部１ｅには、最新の受信状態（受信番組に関する情報）が一時的に保持されることになる。
【００３４】
なお、受信状態決定部３が決定する受信状態の種類としては、１つの種類でもよいし、複数の種類でもよい。受信状態の種類としては、例えば、受信電力、受信番組、受信信号電力対干渉、雑音電力比、ビット誤り率、フレーム誤り率、パケットロス率等の各々が、該当する。本実施の形態では、一例として、受信状態決定部３が決定する受信状態の種類が複数の場合を考える。
【００３５】
制御部１ｈは、収集装置２から受信状態要求を取得したとき、受信状態保持部１ｅにより保持されている受信状態を読み出す。そして、通信部１ａ（送信部）は、読み出された受信状態を収集装置２に送信する。
【００３６】
（通信部、通信制御部）
通信部１ａは、送信局から番組信号を受信したり、収集装置２との間で各種の信号（報知信号、受信状態要求信号等）の送受信を行う。通信部１ａは、受信した各種の信号を受信品質決定部１ｃ、受信番組決定部１ｄに送る。
【００３７】
通信制御部１ｂは、受信端末装置１から収集装置２に対して、受信状態信号を送信するためのチャネルを設定するように通信部１ａを制御する。ここでは、一例として、共通チャネルの場合について説明する。
【００３８】
本発明における共通チャネルとは、１つの信号を送信すれば、上記信号が複数の装置に受信されるチャネルのことをいう。
【００３９】
共通チャネルの設定の場合には、例えば、以下のように行われる。後述する受信状態要求コマンドに共通チャネルに関する情報（例えば、周波数、時間、拡散コード等）が含まれている。そして、通信部（受信部）１ａが上記受信状態要求コマンドを受信し制御部１ｈに送ると、制御部１ｈは、上記共通チャネルに関する情報を通信制御部１ｂへ送る。通信制御部１ｂは、上記情報に基づいて、受信端末装置１から収集装置２に対して、受信状態信号を送信するための共通チャネルを設定するように通信部１ａ（送信部）を制御する。
【００４０】
この際、送信タイミング決定部１ｆにより決定された送信タイミング、送信電力決定部１ｇにより決定された送信電力に基づいて、送信部１ａは、受信状態を送信することができる。本実施の形態では、送信タイミング、送信電力を考慮した送信動作について説明する。
【００４１】
（送信タイミング決定部）
送信タイミング決定部１ｆは、通信部１ａ（送信部）が受信状態信号を送信するタイミングを、各受信端末装置１間でランダムになるように決定する。以下に、送信タイミング決定方法の一例を具体的に説明する。
【００４２】
送信タイミング決定部１ｆは、固有の識別番号（以下、固有識別番号）を保持している。この固有識別番号は、全ての受信端末装置毎に固有の情報であり、各受信端末装置間で重複がないようにされている。この固有識別番号としては、例えば、受信端末装置番号、ユーザID、電話番号、UIMカード番号、IPアドレス等を用いることができる。本実施の形態では、送信タイミング決定部１ｆは、受信端末装置番号、ユーザID、電話番号、UIMカード番号、IPアドレスを保持している場合を考える。
【００４３】
そして、後述するように、受信状態要求コマンドには、送信タイミング決定部１ｆが送信タイミングを決定するのに必要な情報（遅延定数、固有識別番号の指定）が含まれており、制御部１ｈを介して、上記必要な情報が送信タイミング決定部１ｆに送られる。送信タイミング決定部１ｆは、前記必要な情報に基づいて、送信タイミング（遅延時間、送信タイミング指令）を決定する。
【００４４】
例えば、送信タイミング決定部１ｆは、上記指定された固有識別番号を、受信状態を収集する対象の受信端末装置の数を考慮して決定された遅延定数で割った余り値を求め、この求めた余り値から遅延時間を決定する。
【００４５】
具体的に、以下に説明する。後述するように、遅延定数、いずれの固有識別番号を用いるかの指定（固有識別情報の指定）は、受信状態要求コマンドに含まれ、制御部１ｈが、遅延定数及び上記指定を送信タイミング決定部１ｆへ送る。送信タイミング決定部１ｆは、例えば、送られた情報に基づいて、遅延時間、送信タイミングを決定する。
【００４６】
この遅延定数は、受信状態収集対象の受信端末装置１の数と、受信状態の収集時間とを考慮して定められる。例えば、上記受信端末装置１の数が５０であり、固有識別番号が、１０進数で１０桁の場合、遅延定数は５０より大きな数（例えば、１０００）にする必要がある。これにより、例えば、固有識別番号が１０００１６９７８２のような場合、固有識別番号を遅延定数（例えば、１０００）で割った余り（例えば、１０００１６９７８２÷１０００＝１０００１６９、余り７８２）は、７８２であり、０から９９９までの間の値となる。これにより、受信端末装置５０台に対して、０から９９９の間に分布するので、余り値は擬似的にランダムに分布することになる。そして、送信タイミング決定部１ｆは、決定した余り値に基づいて、遅延時間を決定する。例えば、送信タイミング決定部１ｆは、余り値に対して、フレームの時間（数百μｓｅｃ〜数十ｍｓｅｃ）をかけることで、遅延時間を求めることができる。
【００４７】
但し、上記遅延定数をあまりに大きな数にすると、各受信端末装置１から受信状態が送信されてくる時刻が広範囲にわたり、受信状態の収集に時間がかかってしまうので、受信状態収集システムの設定上許容される収集時間に基づいて、上記遅延定数が決められる。
【００４８】
上述のようにして決められた遅延時間を用いて、送信タイミング決定部１ｆは、例えば、以下のような送信タイミング指令を生成する。この送信タイミング指令とは、後述する遅延時間カウント開始時刻から、上記遅延時間を経過したら、通信部１ａ（送信部）に受信状態を送信するように指示する指令である。そして、送信タイミング決定部１ｆは、上記送信タイミング指令を制御部１ｈに送り、上記指令を実行させる。具体的には、制御部１ｈは、後述する遅延時間カウント開始時刻から、決定した遅延時間を経過したら、受信状態を通信部１ａ（送信部）に送信させる。
【００４９】
なお、制御部１ｈには、時間を計測するタイマー（図示せず）が接続されている。このタイマーは、各受信端末装置間で同期がとれている。そして、制御部１ｈは、上記タイマーに基づいて、遅延時間カウント開始時刻から、決定した遅延時間まで待機し、遅延時間を経過したら、通信部１ａ（送信部）に受信状態を送信させる。
【００５０】
このような遅延時間の決定方法では、複雑な計算を行うことなく、送信タイミング時刻のランダム化を図ることができる。なお、送信タイミング決定部１ｆは、上述した方法以外に、特表平７−５０４５５２号の手法を利用して、遅延時間を決定することもできる。
【００５１】
（送信電力決定部）
送信電力決定部１ｇは、以下のようにして受信状態の送信電力を決定する。先ず、受信品質決定部１ｃは、収集装置２から送信される信号（例えば、報知信号、受信状態要求コマンド信号）の受信電力を決定する。そして、決定された受信電力が送信電力決定部１ｇに送られ、送信電力決定部１ｇは、決定された受信電力に基づいて、収集装置２が受信状態を受信できるように、受信状態信号の送信電力を決定する。具体的に一例を以下に説明する。
【００５２】
先ず、制御部１ｈは、後述する受信状態要求コマンドに含まれる送信電力決定方法及び後述する送信電力決定用基準値を取得する。制御部１ｈの指示により、受信状態保持部１ｅに保持されている受信電力のうち、後述する受信状態要求コマンドに含まれる送信電力決定方法に基づいて、報知信号の受信電力、又は受信状態要求コマンド信号の受信電力が、送信電力決定部１ｇへ送られる。また、制御部１ｈは、送信電力決定用基準値を送信電力決定部１ｇへ送る。
【００５３】
この送信電力決定用基準値は、受信端末装置１の通信部１ａに設置されるアンテナの利得、収集装置２の通信部２ａに設置されるアンテナの利得、収集装置２における必要受信電力、収集装置２の送信電力に基づいて、定められる。ここで、収集装置２における必要受信電力とは、収集装置２において、（他に受信電力の大きい信号が存在しても）信号を受信（識別）するのに必要最小限の電力値である。
【００５４】
そして、送信電力決定部１ｇは、この送信電力決定用基準値に対して、送られた受信電力で割ることにより、受信状態を送信するための送信電力を決定する。
【００５５】
この送信電力に従って、各受信端末装置１が収集装置２に受信状態信号を送信すると、収集装置２から距離が遠い受信端末装置１から送信されてくる受信状態信号が、収集装置２から距離が近い受信端末装置１から送信されてくる受信状態信号に埋もれて受信できなくなることを防止でき、どの受信端末装置１から送信されてくる受信状態信号も収集装置２は、受信することができる。以下、この効果を遠近問題を解消するという。即ち、距離減衰とシャドウィングを吸収できる。
【００５６】
以下、距離減衰とシャドウィングを吸収できる理由について説明する。先ず（１）式を考える。
【００５７】
送信電力＝Ｘ／受信電力．．．．．．．（１）
ここで、Ｘは、上記送信電力決定用基準値である。（１）式でいう受信電力とは、受信端末装置１が、収集装置２から送られた信号を受信する際の受信電力を示す。送信電力とは、受信端末装置１から収集装置２へ信号を送信する際の送信電力である。
【００５８】
上述した遠近問題を解消するには、受信端末装置１が収集装置２から近い距離に存在する場合には、収集装置２から送られた信号が受信端末装置１で受信される際の受信電力が大きいので、受信端末装置１から収集装置２に送信する送信電力は小さくする必要がある。一方、受信端末装置１が収集装置２から遠い距離に存在する場合には、受信端末装置１が受信する信号の受信電力が小さいので、受信端末装置１から収集装置２に送信する送信電力は大きくする必要がある。以上の関係を表したのが、（１）式である。次に、送信電力決定用基準値Ｘについて説明する。
【００５９】
収集装置２が所定の信号を送信電力Ｐｄで送信すると考える。ここで、収集装置２から距離ｈの場所にいる受信端末装置１の受信電力Ｒｄは、距離減衰がα乗則に従うとすると、
Ｒｄ＝Ｐｄ／（Ｋｄ＊ｈα＊ｓ）．．．．（２）
と表せる。ここで、Ｋｄは、受信端末装置１の受信アンテナ利得、収集装置２の送信アンテナ利得等を考慮して定められる定数である。ｓは、シャドウィングを考慮した定数である。そして、上述した（１）式にＲｄを代入して、受信端末装置１の送信電力Ｐｕを求めると、
Ｐｕ＝ｘ／Ｒｄ＝（ｘ＊Ｋｄ＊ｈα＊ｓ）／Ｐｄ．．．．（３）
となる。そして、受信端末装置１がこの送信電力Ｐｕで送信すると、収集装置の受信電力Ｒｕは、
Ｒｕ＝Ｐｕ／（Ｋｕ＊ｈα＊ｓ）＝（Ｋｄ／Ｋｕ）＊（ｘ／Ｐｄ）．．（４）
となる。
【００６０】
ここで、Ｋｕは、受信端末装置１の送信アンテナ利得、収集装置２の受信アンテナ利得等を考慮して定められる定数である。
【００６１】
そして、Ｒｕ＝Ｒｕ１（Ｒｕ１は、上述した必要最小限の受信電力とする）とした場合、
ｘ＝（Ｋｕ／Ｋｄ）＊Ｒｕ１＊Ｐｄ．．．．（５）
となる。
【００６２】
ここで、Ｒｕ１は、収集装置の性能上、予め決められており、Ｐｄも受信状態収集システムの設計上、予め決められており、Ｋｕ／Ｋｄも収集装置２、受信端末装置１のアンテナ利得により予め決められている。
【００６３】
送信電力決定用基準値Ｘを（５）式を満たすようにして、（受信端末装置１における信号の送信電力）×（受信端末装置１における信号の受信電力）の値が、上記Ｘ値となるように、上記受信電力を用いて送信電力を決定し、この送信電力で、受信状態信号を収集装置２に送信すると、収集装置において上記必要最小限の受信電力で受信されることになる。
【００６４】
この結果、送信電力決定部１ｇが、Ｘ／（決定した受信電力）を送信電力と決定し、この決定された送信電力に従って、通信部１ａ（送信部）が受信状態信号を送信すると、収集装置２において、他に受信電力の大きな信号が存在しても、上記受信状態信号が受信されることになる。
【００６５】
送信電力決定部１ｇにより決定された送信電力は、通信制御部１ｂへ送られる。通信制御部１ｂは、送られた送信電力に従って、受信状態信号を送信するように通信部１ａ（送信部）を制御する。
【００６６】
なお、受信状態要求コマンドには、収集装置２が受信状態を受信することができるように定められた受信状態の送信電力値が含まれており、送信部１ａは、送信電力値に基づいて、受信状態を収集装置２に送信することもできる。この場合には、送信電力決定部１ｇによる動作は行われない。
【００６７】
（制御部）
また、制御部１ｈは、受信状態要求コマンドが通信部１ａから送られた場合、受信状態要求コマンドを解読する。そして、制御部１ｈは、受信状態要求コマンドに含まれる各種の情報（遅延定数等）を各部（送信タイミング決定部等）に送る。具体的には、以下のとおりである。
【００６８】
上述したように、受信状態決定部３は、受信部１ａが受信している信号に基づいて、各受信端末装置における複数の種類の受信状態（例えば、受信電力、ＳＮＲ、等）を決定することができる。決定された複数の種類の受信状態は、受信状態保持部１ｅに保持される。そして、受信状態要求コマンドには、受信状態決定部３により決定された複数の種類の受信状態のうち、所定の種類の受信状態を指定する情報である第１指定情報が含まれるようにすることも可能である。このとき、制御部１ｈ（読み出し部）は、第１指定情報に基づいて、受信状態保持部１ｅに保持された複数の種類の受信状態のうち、所定の種類の受信状態を選択して読み出し、送信部１ａに送る。送信部１ａは、所定の種類の受信状態を収集装置２に送信する。
【００６９】
この第１指定情報とは、例えば、受信品質だけ収集するとか、受信番組だけ収集するとか、受信品質のうち、受信電力だけ収集する等の情報である。なお、第１指定情報として、上記複数の種類の受信状態を指定する情報とすることもできる。
【００７０】
また、受信状態要求コマンドには、受信状態を送信するために使用する共通チャネルを示す情報である共通チャネル情報が含まれている。制御部１ｈが上記共通チャネル情報を送信部１ａに送ると、送信部１ａは、上記共通チャネルを用いて、受信状態を送信する。
【００７１】
（収集装置２）
図３は、実施の形態１である収集装置２の構成を示す図である。収集装置２は、例えば、基地局内に存在してもよいし、基地局とは別の装置であってもよいし、送信局内に存在してもよい。本実施の形態では、一例として、基地局内に存在する場合について説明する。
【００７２】
収集装置２は、通信部（送信部及び受信部）２ａ、通信制御部２ｂ、受信状態要求コマンド記憶部２ｃ、受信番組集計部２ｄ、視聴率算出部（図示せず）、受信品質編集部２ｅ、入力部（図示せず）、出力部（図示せず）、各部を制御する制御部２ｆとを有する。
【００７３】
通信部２ａは、各受信端末装置１に対して一斉に信号を送信するための共通チャネルを用いて、受信状態の送信要求である受信状態要求を各受信端末装置１に対して送信する。
【００７４】
通信制御部１ｂは、各受信端末装置１に対して一斉に信号を送信するための共通チャネルを用いて、受信状態の送信要求である受信状態要求を各受信端末装置に対して送信するように送信部２ａを制御する。
【００７５】
具体的には、通信制御部１ｂは、報知チャネル（ＢＣＣＨ）のように、予め収集装置２に与えられている共通チャネルを用いて、受信状態要求を各受信端末装置１に対して送信するように送信部２ａを制御する。
【００７６】
また、例えば、共通制御チャネル（ＣＣＣＨ）のような共通チャネルを用いても良い。具体的には、通信制御部１ｂは、送信部２ａが、各受信端末装置１に対して、共通チャネル設定信号を送信し、受信部２ｂが各受信端末装置１から応答信号を受信するように、制御してもよい。これにより、収集装置２から各受信端末装置への共通チャネルが設定される。そして、通信制御部１ｂは、上記共通チャネルを用いて、受信状態要求を各受信端末装置に対して送信するように送信部２ａを制御してもよい。
【００７７】
受信状態要求コマンド記憶部２ｃには、受信状態要求コマンドが記憶されている。図４は、受信状態要求コマンドのデータフォーマットの一例を示す図である。
【００７８】
受信状態要求コマンドは、受信状態要求を示す旨のユニークワード、遅延定数、遅延時間を決定するために用いる固有識別番号の指定、遅延時間カウント開始時刻（図示せず）、収集する受信状態の種類の指定、受信端末装置１から収集装置２への送信共通チャネル情報（上り共通チャネル情報）、受信端末装置１から収集装置２への送信電力の決定方法、送信電力決定部１ｇが送信電力を決定するための基準値から構成されている。そして、これらの情報のデータ量（ビット）は、例えば、ユニークワード（１４ビット）、遅延定数（１８ビット）、遅延時間を決定するために用いる固有識別番号の指定（２ビット）、収集する受信状態の指定（２ビット）、受信端末装置１から収集装置２への送信チャネル情報（１６ビット）、受信端末装置１から収集装置２への送信電力の決定方法（２ビット）、送信電力決定部１ｇが送信電力を決定するための基準値（８ビット）である。
【００７９】
上記ユニークワードは、以下のようなものである。受信端末装置１の制御部１ｈが、このユニークワードを解読すると、受信状態を収集装置２へ送信するために必要な処理（送信タイミング決定等）を各部に行わせる。
【００８０】
遅延定数は、上述したように、受信状態収集対象の受信端末装置１の数と、受信状態の収集時間とを考慮して定められる。受信端末装置１の数は、例えば、収集装置２の設置されているエリア（都心、郊外）によって、数の範囲が定まっており、その範囲内で定められる。
【００８１】
固有識別番号の指定とは、例えば、受信端末番号、ユーザＩＤ，電話番号のうち、いずれかを遅延時間の決定に用いるように指示する旨である。
【００８２】
遅延時間カウント開始時刻は、各受信端末装置間で同期がとれているタイマーによる時間計測の開始時刻を示すものである。この遅延時間カウント開始時刻から遅延時間経過後に送信部１ａによる送信動作が行われることになる。この結果、遅延定数、固有識別番号の指定、遅延時間カウント開始時刻が含まれた受信状態要求コマンドを受信した受信端末装置１から送信されてくる受信状態は、受信部２ａにて、各受信端末装置間１でランダムに受信される。
【００８３】
収集する受信状態の種類の指定とは、受信状態保持部１ｅに保持されている複数の種類の受信状態のうち、所定の種類の受信状態を指定する情報であり、例えば、受信品質だけを収集するとか、受信番組だけを収集するとか、受信品質のうち、受信電力だけを収集するように指示する旨である。
【００８４】
上記指定が含まれた受信状態要求コマンドを受信した受信端末装置１から所定の種類の受信状態が収集装置２に送られ、受信部２ａにて受信される。
【００８５】
受信端末装置１から収集装置２への上り送信チャネル情報としては、周波数や、時間、拡散コードがある。また、収集装置２の電話番号やアドレス情報でもよい。
【００８６】
送信電力決定方法には、例えば、報知チャネルの報知信号の受信電力に基づいて決定する方法、受信状態要求信号の受信電力に基づいて決定する方法、収集装置２が直接指定する送信電力値（以下、直接指定送信電力値）に基づいて決定する方法がある。そして、受信状態要求コマンドには、上記決定方法のうち、いずれか１つの送信電力決定方法が含まれる。なお、送信電力決定方法としては、報知信号等に限定されず、収集装置２から送信される信号の受信電力に基づいて決定することも可能である。
【００８７】
上記送信電力を送信電力決定部１ｇが決定するための基準値としては、上述したＸ値、上記直接指定送信電力値がある。
【００８８】
この直接指定送信電力値は以下のようにして決められる。即ち、受信状態収集システムの設計上、エリア情報（受信端末装置１が多いエリアか否か等）などに基づいて、収集装置２が通信をカバーするエリア半径が決定される。そして、上記エリア端に存在する受信端末装置１に対しても、信号が送信できるように、収集装置２の信号の送信電力が決められる。そして、収集装置２が各受信端末装置１からの信号を受信するための最低限必要な受信電力が決められる。これらの情報に基づいて、各受信端末装置１から送られる信号を収集装置２が受信できるように、上記直接指定送信電力値が決定される。この直接指定送信電力値で、各受信端末装置１が収集装置２に受信状態信号を送信した場合には、上述した遠近問題は解消される。そして、受信状態要求コマンドには、上記基準値（Ｘ値、上記直接指定送信電力値）のうち、いずれか１つの基準値が含まれる。
【００８９】
受信部２ａは、送信電力決定部１ｇで決定された送信電力値又は上記直接指定送信電力値で送信された受信状態を受信する。
【００９０】
そして、作業者が、これらの受信状態要求コマンドに必要な情報を入力部により入力すると、制御部２ｆは、入力された情報に基づいて、図４に示すような受信状態要求コマンドを生成し、受信状態要求コマンド記憶部２ｃに記憶させる。
【００９１】
この際、作業者は、固有識別番号については、受信端末番号、ユーザＩＤ，電話番号のうち、どれかを指定する情報を入力する。同じく、収集する受信状態の種類について指定する情報を入力する。
【００９２】
受信番組集計部２ｄは、受信状態のうち、受信番組識別情報に基づいて、受信番組ごとに、受信者数を集計する。集計した各受信番組ごとの受信者数は、視聴率算出部へ送られる。視聴率算出部は、送られた受信者数に基づいて視聴率を算出する。
【００９３】
また、受信品質編集部２ｅは、受信状態信号のうち、受信品質に関する情報について、各種の編集を行う。例えば、ある受信端末装置１の受信電力が弱いとか、強いとか、ＳＮＲの値に一定の傾向が見られる等の編集処理を行う。
【００９４】
そして、出力部は、視聴率算出部により決定された各受信番組に対する視聴率や、受信品質編集部２ｅによる編集結果を出力する。
【００９５】
（受信状態収集方法）
（１）先ず、実施の形態１の受信状態収集システムを用いて、各受信端末装置１が各種の信号を受信して、受信状態を受信状態保持部１ｅに保持させる動作について、図５に示すフローチャート図を用いて説明する。受信状態決定部３が複数の種類の受信状態を決定する場合を例にして説明する。
【００９６】
送信局は、各種の番組信号を、各受信端末装置１に対して送信する（Ｓ１０）。この際、番組識別情報も上記番組信号に含まれて送信される。
【００９７】
上記番組信号は、通信部１ａを介して、受信番組決定部１ｄへ送られる。受信番組決定部１ｄは、各種の番組信号のうち、所定の番組信号を受信番組信号と決定し（Ｓ２０）、受信番組信号に含まれる受信番組識別情報を受信状態保持部１ｅに保持させる（Ｓ２５）。
【００９８】
受信番組決定部１ｄにより決定された受信番組信号は、受信品質決定部１ｃへ送られる。受信品質決定部１ｃは、受信番組信号の受信品質を決定する（Ｓ２５）。具体的には、受信品質決定部１ｃは、受信番組信号の受信電力値、受信電力値対雑音電力比（ＳＮＲ）、受信信号電力値対干渉雑音電力比、ビット誤り率、フレーム誤り率、パケットロス率等を決定する。
【００９９】
そして、受信品質決定部１ｃにより決定された各受信品質値は、受信状態保持部１ｅに保持される（Ｓ３０）。なお、選択部により選択される番組信号が変更された場合には、上述したステップＳ２０以降の処理が行われる。
【０１００】
（２）次に、受信状態要求を収集装置２が送信し、受信端末装置１が受信状態を収集装置２に送信する動作について説明する。図６，図７は、その動作を説明するためのフローチャート図であり、図８は、その動作の説明を補足するためのシーケンス図である。図４に示す受信状態要求コマンドを用いた場合を例にして説明する。
【０１０１】
先ず、予め、収集装置２の通信制御部２ｂは、通信部２ａに対して、収集装置２から各受信端末装置１へ受信状態要求信号を送信するための共通チャネルを設定するように制御する。なお、収集装置２に予め与えらている報知チャネル（とまり木チャネル）を用いて、収集装置２から受信端末装置１へ各種の信号を送信する場合には、共通チャネルの設定は不要である。
【０１０２】
また、収集装置２から収集装置２に関する位置情報等の報知信号が各受信端末装置１に送られた場合には、上記報知信号が受信品質決定部１ｃに送られ、報知信号の受信品質が決定され、受信状態保持部１ｅに保持される。
【０１０３】
そして、収集装置２の制御部２ｆは、受信状態要求コマンド記憶部２ｃから受信状態要求コマンドを読み出し、通信部２ａへ送ると、通信部２ａは、共通チャネルを用いて、各受信端末装置１へ受信状態要求信号を一斉に送信する（Ｓ４０）。
【０１０４】
そして、各受信端末装置１の通信部１ａは、上記共通チャネルにアクセスし、受信状態要求信号を受信する（Ｓ４５）。受信状態要求信号は、受信品質決定部１ｃに送られる。また、受信品質決定部１ｃは、受信状態要求信号の受信電力を決定し、受信状態保持部１ｅに保持させておく。
【０１０５】
また、受信状態要求信号は、制御部１ｈへ送られる。制御部１ｈは、ユニークワードに基づいて、受信状態要求コマンドであることを認識する。そして、制御部１ｈは、受信状態要求コマンドを解読する（Ｓ４８）。そして、制御部１ｈは、収集する受信状態の種類の指定に基づいて、指定された種類の受信状態を受信状態保持部１ｅから読み出し、保持する（Ｓ５０）。
【０１０６】
制御部１ｈは、上り共通チャネル情報を通信制御部１ｂに送る。通信制御部１ｂは、指定された上り共通チャネルを用いて、保持している受信状態信号を収集装置２に送信するように通信部１ａを制御（設定）する（Ｓ５５）。
【０１０７】
制御部１ｈは、送信タイミング決定部１ｆに対して、遅延定数、固有識別番号についての指定情報を送る。この際、制御部１ｈは、遅延時間カウント開始時刻を保持する。送信タイミング決定部１ｆは、固有識別番号についての指定情報に基づいて、固有識別番号を決定する。
【０１０８】
そして、送信タイミング決定部１ｆは、上記固有識別番号と、遅延定数に基づいて、遅延時間を決定する（Ｓ６０）。そして、送信タイミング決定部１ｆは、送信タイミング指令（遅延時間カウント開始時刻から遅延時間を経過したら送信部に受信状態を送信するように指示する指令）を生成し、決定した遅延時間とともに、制御部１ｈへ送る。
【０１０９】
また、制御部１ｈは、送信電力決定部１ｇに対して、送信電力の決定方法、送信電力を決定するための基準値を送る。そして、送信電力決定部１ｇは、送られてきた送信電力の決定方法、送信電力を決定するための基準値に基づいて、送信電力を決定する（Ｓ６５）。具体的には、送信電力決定部１ｇは、送信電力決定方法（報知信号の受信電力に基づいて決定、受信状態要求コマンド信号の受信電力に基づいて決定、直接指定送信電力値を用いて決定）に基づいて、報知信号の受信電力又は受信状態要求信号の受信電力を受信状態保持部１ｅから読み出す。
【０１１０】
そして、送信電力決定部１ｇは、報知信号の受信電力又は受信状態要求信号の受信電力と、上記基準値を用いて、送信電力を決定する。そして、送信電力決定部１ｇは、決定した送信電力を制御部１ｈへ送る。
【０１１１】
なお、直接指定送信電力値が受信状態要求コマンドに含まれている場合には、送信電力決定部１ｇによる決定動作は行われず、直接指定送信電力値を制御部１ｈが保持することになる。
【０１１２】
制御部１ｈは、決定された送信電力、遅延時間及び送信タイミング指令が送られた場合、制御部１ｈは、送信電力を通信部１ａに送り、受信状態信号については、送信部１ａが上記送信電力で送信動作を行うように、指示する。通信部１ａは、上記送信動作を行うように設定する。
【０１１３】
そして、制御部１ｈは、タイマーを監視し、遅延時間カウント開始時刻になったか否かを判断する（Ｓ７０）。
【０１１４】
遅延時間カウント開始時刻にならない場合には、ステップＳ７０へ移行する。一方、遅延時間カウント開始時刻になった場合には、ステップＳ８０で、制御部１ｈは、タイマーをリセットさせ、タイマーに時間計測動作を開始させ、タイマーが上記遅延時間に達したか否かを判断する。
【０１１５】
上記遅延時間に達しない場合には、ステップＳ８０へ移行する。一方、上記遅延時間に達した場合には、制御部１ｈは、保持していた受信状態を送信部１ａに送る。送信部１ａは、決定された送信電力に従って、受信状態信号を収集装置２に送信する（Ｓ９０）。この際、送信部１ａは、上り共通チャネルを用いて、受信状態信号を収集装置２へ送る。
【０１１６】
上述の動作が各受信端末装置１について行われる。図８に示すように、各受信端末装置１に内蔵されたタイマーは、全ての装置間で同期がとれており、遅延時間は、各装置間でランダムになるように決定されているので、各受信端末装置１から受信状態信号を送る送信タイミングは、ランダム化される。
【０１１７】
この際、収集装置２と受信端末装置１との間の通信が無線通信の場合には、例えば、ＣＤＭＡ方式により通信を行うことができる。この場合、各受信端末装置１の通信部１ａは、１つの拡散コードで受信状態信号に対して拡散処理を行い、収集装置２に送信した場合には、収集装置２の通信部２ａは、上記拡散コードで、送られた受信状態信号に対して、逆拡散処理を行い、制御部２ｆへ送る。なお、拡散コードは、予め収集装置２と各受信端末装置１間で交換されているとする。
【０１１８】
そして、各受信端末装置１から送られた受信状態信号のうち、受信番組識別情報は収集装置２の受信部２ａ、制御部２ｆを介して、受信番組集計部２ｄへ送られる。受信番組集計部２ｄは、受信番組識別情報に基づいて、受信番組ごとに、受信者数を集計する。集計した各受信番組ごとの受信者数は、視聴率算出部へ送られる。視聴率算出部は、送られた受信者数に基づいて視聴率を算出する（Ｓ１００）。視聴率の決定の仕方には、種々の方法があり、本実施形態では、特に限定しない。
【０１１９】
また、受信状態信号のうち、受信品質に関する情報は、受信品質編集部２ｅへ送られる。受信品質編集部２ｅは、送られた受信品質情報について、各種の編集処理を行う（Ｓ１１０）。例えば、ある受信端末装置１の受信電力が弱いとか、強いとか、ＳＮＲの値に一定の傾向が見られる等の編集処理を行う。
【０１２０】
そして、出力部により、視聴率算出部により算出された各受信番組に対する視聴率や、受信品質編集部２ｅによる編集結果が出力される。
【０１２１】
（作用効果）
本実施の形態では、収集装置２から各受信端末装置１への受信状態要求信号を、共通チャネルを用いて、送信している。このため、従来技術と異なり、収集装置２から各受信端末装置１への下り個別チャネルを設定し、受信状態要求信号を、個別チャネルを用いて、各受信端末装置１に対して、送信する必要がなく、１つの受信状態要求信号を上記共通チャネルを用いて送信すればよい。この結果、収集装置２の下りチャネルのリソースを有効活用できる。また、共通チャネルを用いて、１つの受信状態要求信号を送信すればよいので、各受信端末装置１への送信を迅速に行うことができる。
【０１２２】
また、本実施の形態では、各受信端末装置１が収集装置２へ受信状態を送信する場合、送信タイミングが各受信端末装置１間でランダムになるように決定される。このため、各受信端末装置１から収集装置２へ、受信状態信号が送信されても、収集装置２へ同時刻に複数の受信状態信号が送信されることはないので、収集装置２において、各受信状態信号が確実に受信される。この結果、収集装置２における輻輳が発生してしまうことも回避できる。また、従来技術と異なり、収集装置２で各受信端末装置からの送信タイミングを決定する必要がないので、収集装置２の負荷を低減できる。
【０１２３】
また、本実施の形態では、送信電力決定部は１ｇは、例えば、収集装置２が受信できるための受信電力、収集装置２が信号を送信する際の送信電力、収集装置２及び受信端末装置１のアンテナ利得に基づいて、定められた所定値（Ｘ値）を、受信端末装置１が受信した信号の受信電力で割った値を送信電力と決定する。このため、上述したように、各受信端末装置１が、上記決定した送信電力で、受信状態信号を収集装置２に送信すると、収集装置２において、各受信状態信号が他の信号に埋もれることなく、受信されることになる。この際、受信端末装置１が受信した信号として、報知信号や受信状態要求信号を用いることができる。
【０１２４】
（変形例１）
受信状態要求コマンドにおいて、受信状態を送信する対象となる受信端末装置１を制限する制限情報を含ませるようにしてよい。例えば、制限情報として、受信端末装置番号が偶数の場合には、受信状態を送信せず、奇数の場合に受信状態を送信する旨の制限情報、受信端末装置番号を上記遅延定数で割った余りが所定数以下の受信端末装置１に受信状態信号を送信させる旨、等の制限情報がある。
【０１２５】
そして、各受信端末装置１の制御部１ｈは、受信状態要求コマンドを解読し、制限情報を取得し、自己が受信状態を送信する対象か否かを判断し、対象であると判断したら、ステップＳ５０以下の処理を行う（送信部１ａは、受信状態を送信する）。
【０１２６】
この変形例１によれば、収集装置２において、全ての受信端末装置１を対象にするのでなく、一部の受信端末装置１を対象にして、受信状態を収集することができる。これにより、受信状態についての標本調査が可能となる。
【０１２７】
（変形例２）
上述の実施の形態１では、各受信端末装置１から収集装置２へ受信状態を送信する場合には、共通チャネルを用いて送信を行っていたが、以下のようにすることも可能である。
【０１２８】
各受信端末装置１の通信制御部１ｂは、通信部１ａから収集装置２への送信のための個別チャネルを設定するように、通信部１ａを制御する。
【０１２９】
個別チャネルの設定の場合には、例えば、以下のようにして行われる。受信端末装置１から収集装置２への接続要求を行い、その応答を通信制御部１ａが取得して、各受信端末装置１から収集装置２に対して、受信状態信号を送信するための個別チャネルを設定するように通信部１ａを制御する。また、受信端末装置１は、収集装置２から割り当てられた周波数や時間、拡散コードを保持しており、この周波数等に基づいて、通信制御部１ａは、受信端末装置１から収集装置２への送信個別チャネルを設定するように通信部１ａを制御するようにしてもよい。
【０１３０】
そして、各受信端末装置１の送信部１ａは、受信状態を送信する場合、設定した個別チャネルを用いて送信する。この場合においても、実施の形態１の効果を得ることが可能となる。
【０１３１】
また、収集装置２と受信端末装置１との間の通信が無線通信の場合には、例えば、ＣＤＭＡ方式により通信を行うことができる。この場合、各受信端末装置１の通信部１ａは、各々割り当てられた拡散コードで受信状態要求コマンドに対して拡散処理を行い、収集装置２に送信する。収集装置２の通信部１ａは、保持している上記拡散コードで、受信状態要求信号に対して、逆拡散処理を行い、制御部２ｆへ送る。
【０１３２】
また、ＣＤＭＡ方式に限られず、ＴＤＭＡ，ＦＤＭＡ方式で、各受信端末装置１から受信状態信号を収集装置２に送信することも可能である。
【０１３３】
（変形例３）
本実施の形態では、収集装置２から受信状態要求信号を各受信端末装置１に対して送信し、各受信端末装置１から送信された受信状態信号を収集装置２が受信していたが、以下のようにすることも可能である。
【０１３４】
送信局は、番組信号とともに、受信状態要求信号を共通チャネルを用いて、送信する。そして、収集装置２に設けられていた受信状態要求コマンド記憶部２ｃは、送信局に設けられている。
【０１３５】
そして、図６に示すステップＳ４０の動作は、送信局が番組信号を送信する際、番組信号を送信する前、番組信号を送信した後のいずれかにより行われる。
【０１３６】
但し、この場合には、送信電力決定部１ｇによる送信電力の決定は、収集装置２から送信されてくる信号（例えば、報知信号等）の受信電力に基づいて行う必要がある。
【０１３７】
（変形例４）
視聴率の決定方法としては、以下のように決定することもできる。収集装置２にユーザ識別情報とユーザに関する情報（年齢、性別、職業等）との対応データのＤ／Ｂ（図示せず）が設けられている。そして、受信状態信号には、受信番組識別情報とともに、ユーザ識別情報が含まれている。
【０１３８】
この場合には、受信番組集計部２ｄは、例えば、受信番組及び性別ごとに、受信者数を集計することができるし、受信番組集計部２ｄは、受信番組及び年齢層ごとに、受信者数を集計することができる。そして、集計した性別、年齢層ごとの受信者数は、視聴率算出部へ送られる。視聴率算出部は、送られた受信者数に基づいて視聴率を算出する。この結果、年齢層別、性別についての視聴率の算出が可能となる。
【０１３９】
（変形例５）
上述した遅延定数は、収集装置２で予め定めていたが、以下のように決定することも可能である。収集装置２の制御部２ｆは、暫定的に、遅延定数を定め、各受信端末装置１へ送る。この際、収集装置２の制御部２ｆは、各受信端末装置１にテスト信号を上記遅延定数に基づいて決定された送信タイミングで送信するように指示する。送信タイミング決定部１ｆは、この遅延定数に基づいて、送信タイミングを決定する（遅延時間、送信タイミング指令）。そして、各受信端末装置１から送られたテスト情報が収集装置２において同時刻に集中するような場合には、収集装置２の制御部２ｆは、遅延定数を修正し、この修正した遅延定数を各受信端末装置１へ送る。そして、上述の動作を繰り返し、収集装置２において、テスト信号がランダムに受信されるようになったら、収集装置２の制御部２ｆは、修正した遅延定数に基づいて決定された送信タイミングで、受信状態信号を送信するように、各受信端末装置１に対して指示する。
【０１４０】
実施の形態２．
図９は、実施の形態２である受信状態収集システムの構成を示す図である。なお、図９において、実施の形態１の構成と同一構成について、その説明を省略又は簡略化する。また、実施の形態１に示した動作と同一動作については、その説明を簡略化する。
【０１４１】
受信状態収集システムは、基地局１０と、この基地局１０と無線通信を行う複数の携帯端末装置１１とを有する。基地局１０は、実施の形態１で示す収集装置２及び送信局の機能を有する。
【０１４２】
基地局１０は、実施の形態１の通信部２ａ、通信制御部２ｂ、受信状態要求コマンド記憶部２ｃ、受信番組集計部２ｄ、視聴率算出部、受信品質編集部２ｅ、入力部、出力部、各部を制御する制御部２ｆを有する。
【０１４３】
基地局１０の通信部２ａは、各種の番組信号を、各携帯端末装置１１に対して、共通チャネルを用いて送信する。また、基地局１０の通信部２ａは、各携帯端末装置１１に対して、報知チャネルを用いて報知信号を送信したり、受信状態要求信号を共通チャネルを用いて送信する。
【０１４４】
各携帯端末装置１１は、実施の形態１の受信端末装置１の機能を有する。各携帯端末装置は、実施の形態１の通信部１ａ、通信制御部１ｂ、受信品質決定部１ｃ、受信番組決定部１ｄ、受信状態保持部１ｅ、送信タイミング決定部１ｆ、送信電力決定部１ｇ、各部を制御する制御部１ｈを有する。
【０１４５】
各携帯端末装置１１は、基地局１０から送信されてくる番組信号、報知信号、受信状態要求信号を通信部１ａが受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１４６】
そして、各携帯端末装置の制御部１ｈは、受信状態要求コマンドを解読すると、受信状態保持部１ｅから所定の受信状態を読み出し、保持する。そして、各携帯端末装置１１において、送信タイミング決定部１ｆが送信タイミングを決定し、送信電力決定部１ｇが送信電力値を決定する。そして、各携帯端末装置１１は、遅延時間カウント開始時刻から遅延時間経過するまで、待機し、経過したら、上記送信電力値で、読み出した受信状態を送信部１ａが基地局１０に送信する。
【０１４７】
基地局１０の受信番組集計部２ｄは、受信番組識別情報に基づいて、受信番組ごとに、受信者数を集計する。集計した各受信番組ごとの受信者数は、視聴率算出部へ送られる。視聴率算出部は、送られた受信者数に基づいて視聴率を算出する。また、受信品質編集部２ｅは、受信状態信号のうち、受信品質に関する情報について、各種の編集を行う。
【０１４８】
なお、本実施の形態では、実施の形態１の収集装置２の機能を基地局１０内に設けたが、これに限定されるわけではなく、基地局１０の外部に設けてもよい。そして、収集装置２は、基地局１０を介して、各携帯端末装置１１と通信を行うようにしても良い。また、上述した各番組信号は、基地局１０から対応する共通チャネルを用いて、携帯端末装置へ送られるが、受信番組識別情報の代わりに、受信共通チャネル情報を受信状態としてもよい。
【０１４９】
本実施の形態においても、実施の形態１と同じ効果を得ることが可能となる。
【０１５０】
実施の形態３．
図１０は、実施の形態３である受信状態収集システムの構成を示す図である。なお、図において、実施の形態１の構成と同一構成について、その説明を省略又は簡略化する。また、実施の形態１に示した動作と同一動作については、その説明を簡略化する。
【０１５１】
受信状態収集システムは、テレビ放送波送信局２０と、各テレビ放送波送信局２０から送信された番組信号等の各種の信号を受信する複数のハイブリッド端末装置２１と、各ハイブリッド端末装置２１との間で無線通信を行う基地局２２とを有する。
【０１５２】
テレビ放送波送信局２０は、実施の形態１の送信局の機能を有する。テレビ放送波送信局２０は、各種の番組信号を、各ハイブリッド端末装置２１に対して、共通チャネルを用いて送信する。
【０１５３】
各ハイブリッド端末装置２１は、実施の形態１の受信端末装置１の構成，機能を有する。各ハイブリッド端末装置は、テレビ放送波送信局２０から送信されてくる番組信号を通信部１ａが受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１５４】
そして、基地局は、実施の形態１の収集装置２の構成，機能を有する。基地局２２の通信部２ａは、各ハイブリッド端末装置２１に対して、報知チャネルを用いて報知信号を送信したり、受信状態要求信号を共通チャネルを用いて送信する。
【０１５５】
各ハイブリッド端末装置２１の制御部１ｈは、受信状態要求コマンドを解読すると、受信状態保持部１ｅから所定の受信状態を読み出し、保持する。そして、各ハイブリッド端末装置２１において、送信タイミング決定部１ｆが送信タイミングを決定し、送信電力決定部１ｇが送信電力値を決定する。そして、各ハイブリッド端末装置２１は、遅延時間カウント開始時刻から遅延時間経過するまで、待機し、経過したら、上記送信電力値で、読み出した受信状態を送信部１ａが基地局２２に送信する。
【０１５６】
以降の基地局１０の動作は、実施の形態２の基地局の動作と同じである。なお、本実施の形態においても、実施の形態１の変形例３と同じく、以下のように変形することが可能である。
【０１５７】
テレビ放送波送信局２０は、番組信号とともに、受信状態要求信号を共通チャネルを用いて、送信する。そして、受信状態要求コマンド記憶部２ｃは、テレビ放送波送信局２０に設けられている。そして、実施の形態１のステップＳ４０の動作は、送信局２０が番組信号を送信する際、番組信号を送信する前、番組信号を送信した後のいずれかにより行われる。但し、この場合には、送信電力決定部１ｇによる送信電力の決定は、基地局２２から送信されてくる報知信号等の受信電力に基づいて行う必要がある。
【０１５８】
（実施の形態３の変形例）
なお、実施の形態３では、受信端末装置１として、ハイブリッド端末装置２１を用いていたが、この代わりに、テレビ放送波受信装置２３ａ及び携帯端末装置２３ｂで構成するようにしてもよい。図１１は、この変形例の受信状態収集システムの構成を示す図である。この際、テレビ放送送信局２０との間の通信は、テレビ放送受信装置２３ａが行い、基地局２２との間の通信は、携帯端末装置２３ｂが行う。
【０１５９】
そして、受信品質決定部１ｃ、受信番組決定部１ｄ、受信状態保持部１ｅ、送信タイミング決定部１ｆ、送信電力決定部１ｇは、テレビ放送波受信装置２３ａ及び携帯端末装置２３ｂのうち、どの装置に設けてもよい。
【０１６０】
実施の形態４．
図１２は、実施の形態４である受信状態収集システムの構成を示す図である。なお、図において、実施の形態１の構成と同一構成について、その説明を省略又は簡略化する。また、実施の形態１に示した動作と同一動作については、その説明を簡略化する。
【０１６１】
受信状態収集システムは、テレビ放送局３０と、テレビ放送局３０から送信された番組信号等の各種の信号を衛星３１を介して受信する複数の衛星テレビ放送受信装置３２と、各衛星テレビ放送受信装置３２と固定電話網を介して、通信を行う受信状態収集装置３３とを有する。
【０１６２】
衛星３１は、各テレビ放送局３０から送信された各種の番組信号を共通チャネルを用いて、衛星テレビ放送受信装置３２に送信する。また、テレビ放送局３０には、受信状態要求コマンドが記憶されている。そして、テレビ放送局３０から、共通チャネルを用いて報知信号や受信状態要求コマンドが送信される。
【０１６３】
各衛星テレビ放送受信装置３２は、実施の形態１の通信部１ａ、通信制御部１ｂ、受信品質決定部１ｃ、受信番組決定部１ｄ、受信状態保持部１ｅ、送信タイミング決定部１ｆ、各部を制御する制御部１ｈを有する。
【０１６４】
各衛星テレビ放送受信装置３２では、衛星３１から送信されてくる各種の番組信号等を通信部１ａが受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１６５】
また、各衛星テレビ放送受信装置３２の制御部１ｈは、受信状態要求コマンドを解読すると、受信状態保持部１ｅから所定の受信状態を読み出し、保持する。そして、各衛星テレビ放送受信装置３２において、送信タイミング決定部１ｆが送信タイミングを決定する。そして、各衛星テレビ放送受信装置３２は、遅延時間カウント開始時刻から遅延時間経過するまで、待機し、経過したら、受信状態を送信部１ａが固定電話網を介して受信状態収集装置３３に送信する。
【０１６６】
そして、受信状態収集装置２は、実施の形態１の通信部２ａ、通信制御部２ｂ、受信番組集計部２ｄ、視聴率算出部、受信品質編集部２ｅ、入力部、出力部、各部を制御する制御部２ｆを有する。
【０１６７】
以降の受信状態収集装置３３の動作は、実施の形態２の基地局の動作と同じである。本実施の形態においても、実施の形態１と同じ効果を有する。
【０１６８】
実施の形態５．
図１３は、実施の形態５である受信状態収集システムの構成を示す図である。なお、図において、実施の形態１の構成、機能と同一構成、機能について、その説明を省略又は簡略化する。
【０１６９】
受信状態収集システムは、双方向型ＣＡＴＶ放送局４０と、ケーブルを介して、このＣＡＴＶ放送局４０との間で各種の信号の通信を行うモニタ付き受信端末装置４１（以下、ＳＴＢ（セットトップボックス）端末装置という）とを有する。
【０１７０】
ＣＡＴＶ放送局４０は、実施の形態１の送信局の機能を有する。また、 ＣＡＴＶ放送局４０は、実施の形態１の収集装置２の機能を有する。
【０１７１】
ＣＡＴＶ放送局４０は、各種の番組信号や受信状態要求信号を、ケーブル（共通チャネル）を用いて、各ＳＴＢ端末装置４１へ送信する。
【０１７２】
各ＳＴＢ端末装置４１は、実施の形態１の通信部１ａ、通信制御部１ｂ、受信品質決定部１ｃ、受信番組決定部１ｄ、受信状態保持部１ｅ、送信タイミング決定部１ｆ、各部を制御する制御部１ｈを有する。各ＳＴＢ端末装置４１は、ＣＡＴＶ放送局４０からケーブルを介して送信されてくる各種の番組信号等を通信部１ａが受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１７３】
また、各ＳＴＢ端末装置４１の制御部１ｈは、受信状態要求コマンドを解読すると、受信状態保持部１ｅから所定の受信状態を読み出し、保持する。そして、各ＳＴＢ端末装置４１において、送信タイミング決定部１ｆが送信タイミングを決定する。そして、各ＳＴＢ端末装置４１は、遅延時間カウント開始時刻から遅延時間経過するまで、待機し、経過したら、受信状態を送信部がＣＡＴＶ放送局に送信する。
【０１７４】
以降のＣＡＴＶ放送局の動作は、実施の形態２の基地局の動作と同じである。本実施の形態においても、実施の形態１と同じ効果を有する。
【０１７５】
実施の形態６．
図１４は、実施の形態６である受信状態収集システムの構成を示す図である。なお、図において、実施の形態１の構成、機能と同一構成、機能について、その説明を省略又は簡略化する。
【０１７６】
受信状態収集システムは、ＣＡＴＶ放送局５０と、ケーブルを介して、このＣＡＴＶ放送局５０との間で各種の信号の通信を行うＳＴＢ端末装置５１と、各ＳＴＢ端末装置５１と接続された携帯端末装置５２と、携帯端末装置５２と無線通信を行う基地局５３とを有する。
【０１７７】
ＣＡＴＶ放送局５０は、実施の形態１の送信局の機能を有する。ＣＡＴＶ放送局５０は、各種の番組信号を、ケーブル（共通チャネル）を用いて、各ＳＴＢ端末装置５１へ送信する。
【０１７８】
各ＳＴＢ端末装置５１及び携帯端末装置５２は、実施の形態１の通信部１ａ、通信制御部１ｂ、制御部１ｈを有する。そして、実施の形態１の受信品質決定部１ｃ、受信番組決定部１ｄ、受信状態保持部１ｅ、送信タイミング決定部１ｆ、送信電力決定部１ｇは、ＳＴＢ端末装置５１又は携帯端末装置５２のいずれかに存在する。ここでは、ＳＴＢ端末装置５１にある場合について説明する。
【０１７９】
各ＳＴＢ端末装置５１は、ＣＡＴＶ放送局５０からケーブルを介して送信されてくる各種の番組信号等を通信部１ａが受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１８０】
また、基地局５３は、実施の形態１の収集装置２の機能を有する。そして、基地局の通信部２ａは、各携帯端末装置５２に対して、報知チャネルを用いて報知信号を送信したり、受信状態要求信号を共通チャネルを用いて送信する。
【０１８１】
また、各ＳＴＢ端末装置５１の制御部１ｈは、受信状態要求コマンドを解読すると、受信状態保持部１ｅから所定の受信状態を読み出し、保持する。そして、各ＳＴＢ端末装置５１において、送信タイミング決定部１ｆが送信タイミングを決定し、送信電力決定部１ｇが送信電力値を決定する。そして、各携帯端末装置５２は、遅延時間カウント開始時刻から遅延時間経過するまで、待機し、経過したら、上記送信電力値で、送信部１ａが受信状態を基地局５３に送信する。
【０１８２】
本実施の形態においても、実施の形態１と同じ効果を有する。また、本実施の形態でも、実施の形態１の変形例３と同じ変形が可能である。
【０１８３】
なお、ＳＴＢ端末装置５１と携帯端末装置５２との間の接続は、ワイヤーで接続しても、赤外線通信、近距離無線通信等で接続してもよい。
【０１８４】
実施の形態７．
図１５は、実施の形態７である受信状態収集システムの構成を示す図である。なお、図において、実施の形態１の構成、機能と同一構成、機能について、その説明を省略又は簡略化する。
【０１８５】
受信状態収集システムは、ＣＡＴＶ放送局６０と、ケーブルを介して、このＣＡＴＶ放送局６０との間で各種の信号の通信を行うＳＴＢ端末装置６１と、各ＳＴＢ端末装置６１と固定電話網を介して通信を行う受信状態収集装置６２とを有する。
【０１８６】
ＣＡＴＶ放送局６０は、実施の形態１の送信局の機能を有する。ＣＡＴＶ放送局６０は、各種の番組信号や受信状態要求信号を、ケーブル（共通チャネル）を用いて、各ＳＴＢ端末装置６１へ送信する。
【０１８７】
各ＳＴＢ端末装置は、実施の形態１の通信部１ａ、通信制御部１ｂ、受信品質決定部１ｃ、受信番組決定部１ｄ、受信状態保持部１ｅ、送信タイミング決定部１ｆ、各部を制御する制御部１ｈを有する。各ＳＴＢ端末装置６１は、ＣＡＴＶ放送局６０からケーブルを介して送信されてくる各種の番組信号等を通信部が受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１８８】
また、各ＳＴＢ端末装置６１の制御部１ｈは、受信状態要求コマンドを解読すると、受信状態保持部１ｅから所定の受信状態を読み出し、保持する。そして、各ＳＴＢ端末装置６１において、送信タイミング決定部１ｆが送信タイミングを決定する。そして、各端末装置６１は、遅延時間カウント開始時刻から遅延時間経過するまで、待機し、経過したら、受信状態を送信部１ａが固定電話網を介して、受信状態収集装置６２に送信する。
【０１８９】
受信状態収集装置６２は、実施の形態１の収集装置２の構成、機能を有する。受信状態を受信した以降の受信状態収集装置６２の動作は、実施の形態２の場合と同じである。本実施の形態においても、実施の形態１と同じ効果を有する。
【０１９０】
実施の形態８．
図１６は、実施の形態８である受信状態収集システムの構成を示す図である。なお、図において、実施の形態１の構成、機能と同一構成、機能について、その説明を省略又は簡略化する。
【０１９１】
受信状態収集システムは、サーバ装置７０と、インターネット等の公衆ネットワーク網を介して上記サーバ装置７０とデータ通信を行う複数のＰＣ端末装置７１とを有する。
【０１９２】
サーバ装置７０は、実施の形態１の送信局の機能、収集装置２の機能を有する。例えば、サーバ装置７０がインターネット放送を行っている場合が該当する。
【０１９３】
サーバ装置７０は、各種の番組信号や受信状態要求信号を、ネットワーク回線（共通チャネル）を用いて、各ＰＣ端末装置７１へ送信する。
【０１９４】
各ＰＣ端末装置７１は、実施の形態１の通信部１ａ、通信制御部１ｂ、受信品質決定部１ｃ、受信番組決定部１ｄ、受信状態保持部１ｅ、送信タイミング決定部１ｆ、各部を制御する制御部１ｈを有する。
【０１９５】
各ＰＣ端末装置７１は、サーバ装置７０からネットワーク回線を介して送信されてくる各種の番組信号等を通信部１ａが受信して、受信品質決定部１ｃが各種の受信品質を決定するとともに、受信番組決定部１ｄが受信番組信号を決定し、受信状態保持部１ｅが各種の受信品質、受信番組識別情報を保持する。
【０１９６】
また、各ＰＣ端末装置７１の制御部１ｈは、受信状態要求コマンドを解読すると、受信状態保持部１ｅから所定の受信状態を読み出し、保持する。そして、各ＰＣ端末装置７１において、送信タイミング決定部１ｆが送信タイミングを決定する。そして、各ＰＣ端末装置７１は、遅延時間カウント開始時刻から遅延時間経過するまで、待機し、経過したら、読み出した受信状態を送信部がネットワーク回線を介して、サーバ装置７０に送信する。
【０１９７】
以降のサーバ装置７０の動作は、実施の形態２の基地局の動作と同じである。本実施の形態においても、実施の形態１と同じ効果を有する。
【０１９８】
なお、上述した実施の形態２〜８において、携帯端末装置とは、携帯電話、移動通信網接続用通信カードを挿入したＰＣ端末装置、移動通信網接続可能なＰＤＡ等、移動通信に関する電子機器を含む。
【０１９９】
【発明の効果】
以上説明したように、本発明によれば、１つの受信状態要求を共通チャネルを用いて送信すればよいので、収集装置の下りチャネルのリソースを有効活用できる。また、共通チャネルを用いて、１つの受信状態要求を送信すればよいので、各受信端末装置への送信を迅速に行うことができる。
【図面の簡単な説明】
【図１】実施の形態１である受信状態収集システムの構成を示す図である。
【図２】実施の形態１である収集装置の構成を示す図である。
【図３】実施の形態１である受信端末装置の構成を示す図である。
【図４】実施の形態１である受信状態要求コマンドの一例を示す図である。
【図５】実施の形態１である受信状態収集方法の一部を示すフローチャート図である。
【図６】実施の形態１である受信状態収集方法の一部を示すフローチャート図である。
【図７】実施の形態１である受信状態収集方法の一部を示すフローチャート図である。
【図８】実施の形態１である受信状態収集方法を示すシーケンス図である。
【図９】実施の形態２である受信状態収集システムの構成を示す図である。
【図１０】実施の形態３である受信状態収集システムの構成を示す図である。
【図１１】実施の形態３の変形例である受信状態収集システムの構成を示す図である。
【図１２】実施の形態４である受信状態収集システムの構成を示す図である。
【図１３】実施の形態５である受信状態収集システムの構成を示す図である。
【図１４】実施の形態６である受信状態収集システムの構成を示す図である。
【図１５】実施の形態７である受信状態収集システムの構成を示す図である。
【図１６】実施の形態８である受信状態収集システムの構成を示す図である。
【符号の説明】
１  受信端末装置、１ａ，２ａ  通信部，１ｂ，２ｂ  通信制御部，１ｃ  受信品質決定部，１ｄ  受信番組決定部，１ｅ  受信状態保持部，１ｆ  送信タイミング決定部，１ｇ  送信電力決定部，１ｈ，２ｆ  制御部，２ｃ  受信状態コマンド記憶部，２ｄ  受信番組集計部，２ｅ  受信品質編集部  ３  受信状態決定部、１０，２２，５３  基地局，１１，２３ｂ，５２  携帯端末装置，２０  テレビ放送波送信局，２１  ハイブリッド端末装置，２３ａ  テレビ放送受信装置，３０  テレビ放送局，３１  衛星，３２  衛星テレビ放送受信装置，３３，６２  受信状態収集装置，４０，５０，６０  ＣＡＴＶ放送局，４１，５１，６１ＳＴＢ端末装置，７０  サーバ装置，７１  ＰＣ端末装置。
【図１】
2004193998.tif 000003
【図２】
2004193998.tif 000004
【図３】
2004193998.tif 000005
【図４】
2004193998.tif 000006
【図５】
2004193998.tif 000007
【図６】
2004193998.tif 000008
【図７】
2004193998.tif 000009
【図８】
2004193998.tif 000010
【図９】
2004193998.tif 000011
【図１０】
2004193998.tif 000012
【図１１】
2004193998.tif 000013
【図１２】
2004193998.tif 000014
【図１３】
2004193998.tif 000015
【図１４】
2004193998.tif 000016
【図１５】
2004193998.tif 000017
【図１６】
2004193998.tif 000018